(57)【要約】      （修正有）【課題】光ディスク装置において、ユニットメカ部の軽量化と低コスト化を可能にする。【解決手段】光ディスク装置として、（ａ）光ピックアップ、ピックアップ移動機構及びディスクモータを支持する支持部５０１と、トレイ６に複数箇所で当接して結合される結合部５０２とを有するシャーシ５であって、合成樹脂材で形成され、支持部と結合部とが一体化されたシャーシと、（ｂ）ボトムケース側に固定された第１の回路基板とトレイまたはシャーシ側に固定された第２の回路基板との間を電気的に接続し、トレイが装置本体内に搬入された状態で、ボトムカバーとボトムケースとの間に平面を折り返した状態で配される平板状配線ケーブルとを備えた構成とする。【選択図】図３
2009059423.tif 000002
【特許請求の範囲】
【請求項１】
光ディスクに対して情報の記録または再生を行う光ディスク装置であって、
上記光ディスクにレーザ光を照射し反射光を受光する光ピックアップと、
上記光ピックアップを上記光ディスクの略半径方向に移動させるピックアップ移動機構と、
上記光ディスクを回転駆動するディスクモータと、
上記光ディスクを装置本体内に搬入または該装置本体内から搬出するトレイと、
上記光ピックアップ、上記ピックアップ移動機構及び上記ディスクモータを支持する支持部と、上記トレイに複数箇所で当接して結合される結合部とを有するシャーシであって、合成樹脂材で形成され、上記支持部と上記結合部とが一体化されたシャーシと、
上記トレイのディスク載置面の反対側の面に結合されたボトムカバーと、
上記ボトムカバーの外側に配され、装置の裏面側を覆うボトムケースと、
上記ボトムケース側に固定された第１の回路基板と上記トレイまた上記シャーシ側に固定された第２の回路基板との間を電気的に接続する平板状配線ケーブルであって、上記トレイが上記装置本体内に搬入された状態で、上記ボトムカバーと上記ボトムケースとの間に平面を折り返した状態で配される平板状配線ケーブルと、
を備えた構成を特徴とする光ディスク装置。
【請求項２】
上記シャーシは、上記支持部と上記結合部が同一の合成樹脂材で形成された構成である請求項１に記載の光ディスク装置。
【請求項３】
上記シャーシは、上記結合部が、平面状の第１の部分と、該第１の部分に連続し上記ディスクモータの回転軸方向に突出した第２の部分とを有して成る構成である請求項１に記載の光ディスク装置。
【請求項４】
上記シャーシは、上記結合部に、上記ディスクモータの回転軸方向に貫通した孔が形成され、
上記トレイは、上記シャーシの上記結合部に結合される部分に凸状部を有し、
上記貫通孔内に上記凸状部が挿入されることで、上記シャーシの上記結合部が上記トレイに結合される構成である請求項１、２または３に記載の光ディスク装置。
【請求項５】
上記シャーシは、上記結合部が、該シャーシの外周部の３箇所に形成された構成である請求項１から４のいずれかに記載の光ディスク装置。
【請求項６】
光ディスクに対して情報の記録または再生を行う光ディスク装置であって、
上記光ディスクにレーザ光を照射し反射光を受光する光ピックアップと、
上記光ピックアップを上記光ディスクの略半径方向に移動させるピックアップ移動機構と、
上記光ディスクを回転駆動するディスクモータと、
上記光ディスクを装置本体内に搬入または該装置本体内から搬出するトレイと、
上記光ピックアップ、上記ピックアップ移動機構及び上記ディスクモータを支持する支持部と、上記トレイに複数箇所で当接して結合される結合部とを有するシャーシであって、上記支持部と上記結合部とが、同一の合成樹脂材で形成されかつ一体化されたシャーシと、
を備えた構成を特徴とする光ディスク装置。
【発明の詳細な説明】
【技術分野】
【０００１】
本発明は、光ディスク装置に係り、特に、ディスクモータ等を支持するシャーシの構成に関する。
【背景技術】
【０００２】
近年、薄型の光ディスク装置においては、用途の多様化に対応して、装置のより一層の薄型・軽量化及び低コスト化の開発が進められている。例えば、トレイにユニットメカ部が結合され、トレイのディスク搬入・搬出移動時に該ユニットメカ部がいっしょに移動する構成とされた光ディスク装置においては、該ユニットメカ部内でディスクモータや光ピックアップ等を支持するシャーシのより一層の軽量化及び低コスト化が検討されている。
【０００３】
本発明に関連した従来技術であって特許文献に記載されたものとしては、例えば特開２００２−１２４０７１号公報（特許文献１）や特開２００７−４８６６号公報（特許文献２）や特開２０００−３５７３８８号公報（特許文献３）に記載された技術がある。特開２００２−１２４０７１号公報及び特開２００７−４８６６号公報には、スピンドルモータが搭載されるシャーシ（ベース）を、防振ゴム（防振部材）を介してトレイに結合するとした構成が記載され、特開２０００−３５７３８８号公報には、メカニカルシャーシと筐体フレームとの間にゴム状弾性体から成る緩衝部を連架して平面的に一体化するとした構成が記載されている。
【０００４】
【特許文献１】特開２００２−１２４０７１号公報
【特許文献２】特開２００７−４８６６号公報
【特許文献３】特開２０００−３５７３８８号公報
【発明の開示】
【発明が解決しようとする課題】
【０００５】
図８〜図１１は、従来の薄型の光ディスク装置１００'の構成例を示す。図８は、光ディスク装置１００'の表面側（光ディスクを搭載する側）（＋Ｚ軸方向側）の平面構成であって、トップカバーを外した場合の状態を示す図、図９は、トレイ６'を装置本体側のボトムケース５０'から引き出した状態を示す斜視図、図１０は、光ディスク装置１００'の裏面側（−Ｚ軸方向側）から見たトレイ６'及びシャーシ５'の構成図、図１１は、トレイ６'とシャーシ５'の結合構成の断面図である。
【０００６】
光ディスク装置１００'において、ユニットメカ部のシャーシ５'上には、光ピックアップ４'や、ピックアップ移動機構や、ディスクモータ３'が搭載され（図８、図９）、該シャーシ５'は、Ａ、Ｂ、Ｃの３位置において、防振材（ダンパー）を介してトレイ６'に結合されている（図８、図１０、図１１）。すなわち、ユニットメカ部はその一部を構成しているシャーシ５'により、防振材（ダンパー）を介してトレイ６'に結合されている。図８、図９において、３ａ'は、光ディスクが載置されるターンテーブル、３ｂ'は、光ディスク（図示なし）の中心孔に挿入され該光ディスクをクランプするクランパ、８'は、光ピックアップ４'とユニットメカ部上の回路基板（図示なし）との間を接続するフレキシブル配線基板（ＦＰＣ）、５０'は、装置の裏面側（−Ｚ軸方向側）を覆うボトムケース、５１'は、トレイ６'の側端部の外側に摺動可能に係合し該トレイ６'の引き出し移動や引き込み移動に付随して±Ｘ軸方向に移動するレール部材である。シャーシ５'は、Ａ、Ｂ、Ｃの３位置において、図１１に示す構成によって、ダンパーを介しトレイ６'に結合される。すなわち、該シャーシ５'は、Ａ位置では、防振材としてのダンパーＡ１１ａを介してトレイ６'に結合され（図１１（ａ））、Ｃ位置では、防振材としてのダンパーＣ１１ｃを介してトレイ６に結合され（図１１（ｂ））、また、図示されないが、Ｂ位置では、Ｃ位置と同様の構成によりシャーシ５'がトレイ６'に結合される。Ａ位置においては、シャーシ５'は、ダンパーＡ１１ａによりトレイ面Ｓａから高さｈａ'の位置に支持され、また、トレイ６'には、ダンパーＡ１１ａの周囲に、シャーシ５'方向に突出した突起部としてのリブ１３ａが設けられている。リブ１３ａの先端面Ｃａとシャーシ５'との間には距離ｇａ'の隙間が形成されている（図１１（ａ））。Ｃ位置では、シャーシ５'は、ダンパーＣ１１ｃにより、トレイ面Ｓｃから高さｈｃ'の位置に支持される。該ダンパーＣ１１ｃの周辺部には突起部は設けられていない（図１１（ｂ））。シャーシ５'は、例えば、厚さ約１．０×１０−３ｍの鋼板により構成される。また、ボトムケース５０'の内側において、Ａ、Ｂ、Ｃの３位置で、ボトムカバー４０'がビス３０によってトレイ６'側に固定され、該３位置において、ダンパーはそれぞれ、その−Ｚ軸方向側の端面（ダンパーＡ１１ａの場合は端面Ａａ'、ダンパーＣ１１ｃの場合は端面Ａｃ'）を、該ボトムカバー４０'の平面により支持され、＋Ｚ軸方向側の端面（ダンパーＡ１１ａの場合は端面Ｂａ'、ダンパーＣ１１ｃの場合は端面Ｂｃ'）を、トレイ６'の平面により支持されている。
【０００７】
また、ダンパーはそれぞれ、例えば円筒状の弾性部材（例えばブチルゴムなど）で構成され、その外周に形成された溝（ダンパーＡ１１ａの場合は溝Ｇａ、ダンパーＣ１１ｃの場合は溝Ｇｃ）にシャーシ５'が係合され、その中心孔（ダンパーＡ１１ａの場合は中心孔Ｐａ、ダンパーＣ１１ｃの場合は中心孔Ｐｃ）内にトレイ６'の対応するダンパー係合部がはめ込まれて係合される（ダンパーＡ１１ａの中心孔Ｐａにはダンパー係合部Ａ１２ａが係合され、ダンパーＣ１１ｃの中心孔Ｐｃにはダンパー係合部Ｃ１２ｃが係合される）。これによって、シャーシ５'が各防振材（ダンパー）を介してトレイ６'に結合される。シャーシ５'は、各ダンパーに係合される部分が開口部Ｆａ、Ｆｂ、Ｆｃ（図１０）を有する凹状の構成とされ、各ダンパー外周の上記溝に対してはシャーシ５'の該凹状部が該開口部Ｆａ、Ｆｂ、Ｆｃから組み込まれることで、該シャーシ５'がダンパーに係合される。
【０００８】
また、図９に示されるように、ボトムケース５０'の平坦状の内面５０ａ'には、装置のメイン回路基板８５'や、該メイン回路基板８５'とユニットメカ部上の回路基板（図示なし）との間を接続するフレキシブル配線基板（ＦＰＣ）８０'が取付けられている。特に、フレキシブル配線基板（ＦＰＣ）８０'は、平面をＵ字状とされ、該Ｕ字状平面のうちの一方の部分８０ａ'がボトムケース５０'の平坦な内面５０ａ'上に固定されている。ディスクモータ３'は、シャーシ５'の裏面側（−Ｚ軸方向側）でモータ固定板（図示なし）によりシャーシ５'に取付けられている。該モータ固定板の下方（−Ｚ軸方向）には、トレイ６'のディスク載置面の反対側の面に固定されたボトムカバー４０'がある。該ボトムカバー４０'は、ユニットメカ部の下方側を覆う平板状の構成を有し、トレイ６'がボトムケース５０'に対して引き出しや引き込みの移動をするときには、所定寸法の空隙を介して該フレキシブル配線基板（ＦＰＣ）８０'の上記一方の部分８０ａ'の上方を該トレイ６'とともに移動する。１０'はトレイ６'に結合された前面パネルである。
【０００９】
かかる従来の構成においては、シャーシ５'とトレイ６'を結合するために３個の防振材（ダンパー）が必要であり、装置の組立て時には、該３個の防振材（ダンパー）をシャーシ５'の凹状部に開口部Ｆａ、Ｆｂ、Ｆｃから組み込み、その後、各防振材（ダンパー）の姿勢や位置を調整してから、各防振材（ダンパー）の中心孔（ダンパーＡ１１ａの場合はＰａ、ダンパーＣ１１ｃの場合はＰ）に、トレイ６'の各対応するダンパー係合部を挿入して係合する。このため、装置の部品数も多く、調整も含めた組立て工数も多くて組立て時間も長く、装置コストの低減化が難しい。さらに、シャーシ５'が金属例えば鋼板等で構成される場合には、該シャーシ５'の重量が約１７×１０−３〜２０×１０−３ｋｇとなって、装置の軽量化を阻むことになる。さらに、上記従来の構成においては、上記フレキシブル配線基板（ＦＰＣ）８０'が、Ｕ字状に構成され平面積が広いためにコスト高であり、この点からも、装置コストの低減化が困難である。
【００１０】
上記特開２００２−１２４０７１号公報や特開２００７−４８６６号公報に記載された技術においても、上記光ディスク装置１００'の場合と同様であると考えられる。また、上記特開２０００−３５７３８８号公報に記載された技術は、メカニカルシャーシとトレイを結合するための技術ではないし、メカニカルシャーシと、該メカニカルシャーシに平面的に一体化されるゴム状弾性体とは互いに異なった材質のもので構成されるため、製造時にはこれに対応して材質や工程の管理が必要となり、これもコスト低減を阻む要因となる可能性があると考えられる。
【００１１】
また、例えばＢＤ（Ｂｌｕ−ｒａｙ  Ｄｉｓｃ）やＨＤ−ＤＶＤなどの青系レーザ用光ディスクにおいては、ワーキングディスタンス（Ｗｏｒｋｉｎｇ  Ｄｉｓｔａｎｃｅ）が短いため、光ディスク装置は、光ピックアップの対物レンズの先端と光ディスクの記録面側の表面との間の距離（対向ギャップ）を短くした状態で情報の記録または再生を行う。このため、記録または再生動作中に、例えば装置に衝撃力等が加えられて光ピックアップや光ディスクが大きく振動した場合には、対物レンズの先端のプロテクタ部と回転中のディスク面とが接触し、光ディスク面に傷を付けてしまうことも起り得る。例えば、上記従来の光ディスク装置１００'のように、弾性部材から成るダンパーを介して金属製のシャーシがトレイに結合された構成では、装置に衝撃力等が加えられた場合、該シャーシや光ピックアップを含むユニットメカ部と光ディスクとがトレイに対して大きな振幅で振動し易い。ユニットメカ部の振動は、内部に搭載された光ピックアップに対し、光ディスクとは異なった位相の振動を励起する。
【００１２】
本発明の課題点は、上記従来技術の状況に鑑み、光ディスク装置において、より一層の低コスト化及び軽量化を図れるようにするとともに、衝撃力等が加えられ場合にも光ピックアップや光ディスクの振動を抑えられるようにすることである。
本発明の目的は、かかる課題点を解決した光ディスク装置を提供することにある。
【課題を解決するための手段】
【００１３】
上記課題点を解決するために、本発明では、光ディスク装置として、（１）光ピックアップ、ピックアップ移動機構及びディスクモータを支持する支持部と、トレイに複数箇所で当接して結合される結合部とを有するシャーシであって、該支持部と該結合部とが同一の合成樹脂材で形成されかつ一体化されたシャーシを備えた構成とする。また、（２）（ａ）光ピックアップ、ピックアップ移動機構及びディスクモータを支持する支持部と、トレイに複数箇所で当接して結合される結合部とを有するシャーシであって、合成樹脂材で形成され、該支持部と該結合部とが一体化されたシャーシと、（ｂ）ボトムケース側に固定された第１の回路基板と上記トレイまた上記シャーシ側に固定された第２の回路基板との間を電気的に接続する平板状配線ケーブルであって、上記トレイが装置本体内に搬入された状態で、ボトムカバーとボトムケースとの間に平面を折り返した状態で配される平板状配線ケーブルとを備えた構成とする。
【発明の効果】
【００１４】
本発明によれば、光ディスク装置において、より一層の低コスト化及び軽量化を図ることができる。また、ＢＤなどのワーキングディスタンスが短い光ディスクに対し記録や再生を行う場合にも、対物レンズの先端とディスク面との接触を回避することが容易に可能となる。
【発明を実施するための最良の形態】
【００１５】
以下、本発明の実施例につき、図面を用いて説明する。
図１〜図７は、本発明の実施例の説明図である。図１は、本発明の実施例としての光ディスク装置の構成図であって、トレイを装置本体から引き出した状態を示す斜視図、図２は、図１の光ディスク装置において、ボトムケース及びボトムカバーを外したときの装置裏面側の構成を示す斜視図、図３は、図１の光ディスク装置の裏面側から見たトレイ及びシャーシの斜視図、図４は、図１の光ディスク装置におけるシャーシの裏面側構成図、図５は、図１の光ディスク装置におけるシャーシの表面側構成図、図６は、図１の光ディスク装置におけるシャーシとトレイとの結合構成の断面図、図７は、図１の光ディスク装置の概略的断面構造を示す図である。
【００１６】
図１において、１００は、本発明の実施例としての光ディスク装置、３は、記録媒体としての光ディスク（図示なし）を回転駆動するディスクモータ、３ａはターンテーブル、３ｂは、光ディスクをクランプするクランパ、４は、光ディスクにレーザ光を照射するとともに、その反射光を受光する光ピックアップ、４ａは対物レンズである。光ピックアップ４は、ピックアップ移動機構（図示なし）によって、光ディスクの略半径方向（図１において±Ｘ'方向）に移動される。該ピックアップ移動機構は、表面にねじを備え該ねじの回転により光ピックアップ４を±Ｘ'方向に移動させるリードスクリュー部材（図示なし）や、光ピックアップ４の移動を案内するガイド部材（図示なし）や、リードスクリュー部材を回転駆動する送りモータ（図示なし）などを有して構成されている。また、５は、光ピックアップ４やピックアップ移動機構やディスクモータ３などが搭載されたシャーシ、６は、シャーシ５と結合され、光ディスクを、光ディスク装置１００の装置本体内に搬入または該装置本体内から搬出するトレイ、１０は、トレイ６に結合された前面パネルである。ディスクモータ３は、平板状のモータ固定板（図示なし）を介してシャーシ５に固定される。すなわち、該ディスクモータ３はモータ固定板に固定され、該モータ固定板がシャーシ５に固定される。光ピックアップ４、ピックアップ移動機構、ディスクモータ３、シャーシ５及びモータ固定板は、光ディスク装置１００のユニットメカ部を構成している。トレイ６とシャーシ５は、それぞれ、合成樹脂材で構成され、成形加工によって形成されるものとする。例えば、トレイ６は、変性ＰＰＥ樹脂（Ｍｏｄｉｆｉｅｄ  Ｐｏｌｙｐｈｅｎｙｌｅｎｅ  Ｅｔｈｅｒ  Ｒｅｓｉｎ）などで構成され、シャーシ５は、変性ＰＰ０樹脂（Ｍｏｄｉｆｉｅｄ  Ｐｏｌｙｐｈｅｎｙｌｅｎｅ  Ｏｘｉｄｅ  Ｒｅｓｉｎ）などで構成される。シャーシ５は、ユニットメカ部の基盤として該ユニットメカ部の外周部分を構成し、図８及び図１０で説明した光ディスク装置１００'におけるシャーシ５'と同様、光ディスク装置１００の３位置（光ディスク装置１００'の場合と同じＡ、Ｂ、Ｃの３位置）においてトレイ６に結合されている、すなわち、シャーシ５は、光ディスク装置１００においてＡ、Ｂ、Ｃの３位置でトレイ６に結合されている。ただし、該シャーシ５は、シャーシ５'とは異なり、ダンパーを介さずに直接にその構体の一部がＡ、Ｂ、Ｃの３位置でトレイ６の該当部に当接した状態で該トレイ６に結合されている（本図１では図示なし）。また、モータ固定板の下方（−Ｚ軸方向）には、ユニットメカ部の下方側を覆うボトムカバー（図示なし）が設けられている。該ボトムカバーは、その平面を該モータ固定板の平面に略平行にして該トレイ６のディスク載置面の反対側の面に結合されている。また、該ボトムカバーの外側には、装置の裏面側を覆うボトムケースが配されている。５０はボトムケースである。光ディスク装置１００において、これらボトムカバーやボトムケースは、光ディスク装置１００'におけるボトムケース５０'やボトムカバー４０'と同じ位置に配されるものとする。
【００１７】
また、図１において、８は、光ピックアップ４とユニットメカ部上の回路基板（図示なし）との間を接続するフレキシブル配線基板（ＦＰＣ）、５０は、ボトムカバーに対し−Ｚ軸方向の外側に配され、光ディスク装置１００の裏面側を覆うボトムケース、５０ａはボトムケース５０の内面、５１は、トレイ６の側端部の外側に摺動可能に係合し該トレイ６の引き出し移動や引き込み移動に付随して±Ｘ軸方向に移動するレール部材、５２は、レール部材５１の外側で該レール部材５１に係合し該レール部材５１の移動を案内するガイドレール部材、８５は、ボトムケース５０の内面５０ａ側に固定される光ディスク装置１００のメイン回路基板（第１の回路基板）、９０はコネクタ、８１は、ユニットメカ部側に固定されるすなわちシャーシ５に固定される回路基板（第２の回路基板）（図示なし）と、メイン回路基板８５との間を接続する帯状の平板状配線ケーブル（Ｆｌｅｘｉｂｌｅ  Ｆｌａｔ  Ｃａｂｌｅ）である。該平板状配線ケーブル８１は、直線状に延びたその平面を折り返した状態でボトムカバーと上記ボトムケース５０との間に配される。該平板状配線ケーブル８１は、その帯状の平面のうちボトムケース５０の内面５０ａ上に配される平面部分８１ａは、該内面５０ａ上に接着等により固定され、折り返された平面部分８１ｂは、トレイ６に付帯したユニットメカ部の±Ｘ軸方向の移動動作に対応して±Ｘ軸方向に移動し、−Ｘ軸方向に移動するときは平面部分８１ａに重なる領域が増大し、＋Ｘ軸方向に移動するときは平面部分８１ａに重なる領域が減少する。平板状配線ケーブル８１は、図９に示したＵ字状のフレキシブル配線基板（ＦＰＣ）８０'の場合よりも、平面積を狭くすることができ、配線パターンも簡単な構成で対応することができかつ基板の材質も安価なものを用いることができるため、コスト低減が可能となる。
なお、以下の説明中で用いる図１の構成要素には、図１の場合と同じ符号を付して用いる。
【００１８】
図２は、図１の光ディスク装置１００において、ボトムケース及びボトムカバーを外したときの装置裏面側の構成を示す斜視図である。
図２において、６０は、ディスクモータ３をシャーシ５側に固定するためのモータ固定板、５０１は、シャーシ５の一部であって、光ピックアップ４、ピックアップ移動機構やディスクモータ３やモータ固定板などを支持している支持部、５０２ａ、５０２ｂ、５０２ｃはそれぞれ、同じくシャーシ５の一部であって、該シャーシ５の外周部に形成され、光ディスク装置１００内のＡ、Ｂ、Ｃの３位置でトレイ６に直接当接して結合される結合部である。シャーシ５は１つの種類の合成樹脂材を用いて成形加工によって形成される。このため、シャーシ５内において、支持部５０１と結合部５０２ａ、５０２ｂ、５０２ｃとは同一の合成樹脂材で形成されかつ一体化された構成である。さらに、該結合部５０２ａは、平面状の第１の部分５０２ａ１と、該第１の部分５０２ａ１に連続しディスクモータ３の回転軸方向（±Ｚ軸方向）に突出した第２の部分５０２ａ２とから成り、該第２の部分５０２ａ２に、ディスクモータ３の回転軸方向（±Ｚ軸方向）に貫通する孔（貫通孔）５０２ａ３が設けられている。同様に、結合部５０２ｂは、平面状の第１の部分５０２ｂ１と、該第１の部分５０２ｂ１に連続しディスクモータ３の回転軸方向（±Ｚ軸方向）に突出した第２の部分５０２ｂ２とから成り、該第２の部分５０２ｂ２に、ディスクモータ３の回転軸方向（±Ｚ軸方向）に貫通する孔（貫通孔）５０２ｂ３が設けられており、結合部５０２ｃは、平面状の第１の部分５０２ｃ１と、該第１の部分５０２ｃ１に連続しディスクモータ３の回転軸方向（±Ｚ軸方向）に突出した第２の部分５０２ｃ２とから成り、該第２の部分５０２ｃ２に、ディスクモータ３の回転軸方向（±Ｚ軸方向）に貫通する孔（貫通孔）５０２ｃ３が設けられている。また、１２ａ、１２ｃはそれぞれ、トレイ６上において−Ｚ軸方向に突出したシャーシ係合部としての凸状部である。シャーシ係合部１２ａは、Ａ位置において、シャーシ５の結合部５０２ａの貫通孔５０２ａ３に挿入されて係合され、シャーシ係合部１２ｃは、Ｃ位置において、シャーシ５の結合部５０２ｃの貫通孔５０２ｃ３に挿入されて係合される。トレイ６において、シャーシ係合部１２ａの周囲には、トレイ６'の場合（図１１）と同様、−Ｚ軸方向に突出したリブ１３ａが設けられている。また、図示されないが、該トレイ６には、Ｂ位置においてシャーシ５の結合部５０２ｂの貫通孔５０２ｂ３に挿入されて係合される−Ｚ軸方向に突出したシャーシ係合部がある。結合部５０２ｂの貫通孔５０２ｂ３が係合されるシャーシ係合部は、基本的にシャーシ係合部１２ｃと同様、凸状部としての構成を備えている。上記突出状の３つのシャーシ係合部（凸状部）にはそれぞれ、先端面からＺ軸方向に向かってねじが設けられ、ユニットメカ部の下方側を覆うボトムカバー（図示なし）をビスにより固定することができるようになっている。７１は、ピックアップ移動機構を構成する要素のうち、光ピックアップ４の略ディスク半径方向への移動を案内するガイド部材である。
なお、以下の説明中で用いる図２の構成要素には、図２の場合と同じ符号を付して用いるとする。
【００１９】
図３は、図１の光ディスク装置１００の裏面側から見たトレイ６及びシャーシ５の斜視図である。
図３において、１２ｂは、光ディスク装置１００のＢ位置におけるトレイ６上に形成されたシャーシ係合部である。該シャーシ係合部１２ｂは、シャーシ５の結合部５０２ｂの貫通孔５０２ｂ３に挿入されて係合される。
【００２０】
図４、図５はシャーシ５の単体図である。図４は、シャーシ５の裏面側（−Ｚ軸方向側）構成図、図５は、表面側（＋Ｚ軸方向側）構成図である。
図４、図５において、シャーシ５は概略多角形状の環状構体として構成される。ピックアップ移動機構やディスクモータ３などを支持する支持部５０１は、該環状構体上に形成され、トレイ６に対する各結合部５０２ａ、５０２ｂ、５０２ｃはそれぞれ、該環状構体上で最外周部に突出して形成される。該各結合部５０２ａ、５０２ｂ、５０２ｃにおいて、第２の部分（５０２ａ２、５０２ｂ２、５０２ｃ２）は第１の部分（５０２ａ１、５０２ｂ１、５０２ｃ１）よりも肉厚の構成にされている。５０１ａはディスクモータ３が配される領域、５０１ｂ１、５０１ｂ２はピックアップ移動機構が配される領域である。光ピックアップ４は、該ピックアップ移動機構で支持され、領域５０１ｂ１、５０１ｂ２間に、±Ｘ'軸方向に移動可能な状態で配される。シャーシ５内において、結合部５０２ａは、光ディスク装置１００のＡ位置においてトレイ６に結合されるように、搭載されるディスクモータ３の回転中心よりも−Ｘ'軸方向側の位置に形成され、また、結合部５０２ｂ、５０２ｃは、光ディスク装置１００のＢ位置、Ｃ位置においてそれぞれトレイ６に結合されるように、ディスクモータ３の回転中心よりも＋Ｘ'軸方向側の位置であって該回転中心を通るＸ'軸方向直線ｃ−ｃの両側の位置に配される。また、該各結合部５０２ａ、５０２ｂ、５０２ｃの第２の部分５０２ａ２、５０２ｂ２、５０２ｃ２の表面側（＋Ｚ軸方向側）の端面においてトレイ６の各シャーシ係合部（凸状部）の周囲の平面部に当接し、また、該第２の部分５０２ａ２、５０２ｂ２、５０２ｃ２の裏面側（−Ｚ軸方向側）の端面にはボトムカバーがビスによって固定される。該シャーシ５は、例えば、変性ＰＰ０樹脂（Ｍｏｄｉｆｉｅｄ  Ｐｏｌｙｐｈｅｎｙｌｅｎｅ  Ｏｘｉｄｅ  Ｒｅｓｉｎ）などの合成樹脂を射出成形することで製作可能である。かかる合成樹脂材で形成された該シャーシ５では、重量は、例えば鋼材（ＳＰＣＣ）で構成されたシャーシの約１／２と大幅に軽く、剛性は、各結合部５０２ａ、５０２ｂ、５０２ｃの剛性も含め、ブチルゴムなどで構成されたダンパー（例えば、ダンパーＡ１１ａ、ダンパーＢ１１ｃ及びダンパーＣ１１ｃ）の２０倍以上と大幅に高い。
【００２１】
図６は、図１の光ディスク装置１００におけるシャーシ５とトレイ６との結合構成を示す断面図である。（ａ）は、Ａ位置での結合構成を示し、（ｂ）は、Ｃ位置での結合構成を示す。
図６において、Ａ位置においてシャーシ５の結合部５０２ａは、貫通孔５０２ａ３にトレイ６のシャーシ係合部１２ａが挿入されて該シャーシ係合部１２ａに結合（係合）され、Ｃ位置において結合部５０２ｃは、貫通孔５０２ｃ３にトレイ６のシャーシ係合部１２ｃが挿入されて該シャーシ係合部１２ｃに結合（係合）される。該状態において、Ａ位置においては、シャーシ５は、結合部５０２ａの第２の部分５０２ａ２の＋Ｚ軸方向側の端面Ｂａがトレイ面に当接することにより、該結合部５０２ａの第１の部分５０２ａ１がトレイ面Ｓａから高さｈａの位置に支持され、Ｃ位置においては、シャーシ５は、結合部５０２ｃの第２の部分５０２ｃ２の＋Ｚ軸方向側の端面Ｂｃがトレイ面に当接することにより、該結合部５０２ｃの第１の部分５０２ｃ１がトレイ面Ｓｃから高さｈｃの位置に支持される。また、Ａ位置においては、トレイ６には、シャーシ５方向に突出したリブ１３ａが設けられており、該リブ１３ａの先端面Ｃａとシャーシ５の結合部５０２ａの第１の部分５０２ａ１との間には距離ｇａの隙間が形成される。Ｃ位置には、トレイ６には、リブ１３ａのような突起は設けられていない。Ｂ位置における結合部５０２ｂのトレイ６への結合構成は、上記Ｃ位置における結合部５０２ｃのトレイ６への結合構成と基本的に同じである。本光ディスク装置１００においては、シャーシ５の各結合部５０２ａ、５０２ｂ、５０２ｃの剛性が、光ディスク装置１００'におけるブチルゴムなどから成るダンパーＡ１１ａ、ダンパーＢ１１ｂ、ダンパーＣ１１ｃの剛性よりも大幅に高いため、例えば衝撃力などが装置に働いた場合にも、各結合部５０２ａ、５０２ｂ、５０２ｃの圧縮・伸長の変位が小さい。このため、上記高さｈａ、ｈｃ、距離ｇａはそれぞれ、光ディスク装置１００'における高さｈａ'、ｈｃ'、距離ｇａ'以下の小さい寸法にしてある（ｈａ≦ｈａ'、ｈｃ≦ｈｃ'、ｇａ≦ｇａ'）。また、光ディスク装置１００では、ボトムケース５０の内側において、Ａ、Ｂ、Ｃの３位置で、ボトムカバー４０がビス３０によってトレイ６側に固定される。すなわち、Ａ位置においては、シャーシ５の結合部５０２ａの第２の部分５０２ａ２の−Ｚ軸方向側の端面Ａａがボトムカバー４０の面に当接した状態で、該ボトムカバー４０がビス３０によってトレイ６側のシャーシ係合部１２ａに固定され、Ｃ位置においては、シャーシ５の結合部５０２ｃの第２の部分５０２ｃ２の−Ｚ軸方向側の端面Ａｃがボトムカバー４０の面に当接した状態で、該ボトムカバー４０がビス３０によってトレイ６側のシャーシ係合部１２ｃに固定される。Ｂ位置においても、Ｃ位置の場合と同様である。
【００２２】
図７は、図１の光ディスク装置１００においてディスクモータ３の回転中心を通るＸ軸方向の直線位置における概略的な断面構造を示し、トレイ６が装置本体内に光ディスクを搬入し終わって、記録または再生動作が可能な状態にされているときの構成を示す。
図７において、２は光ディスク、８５は、ボトムケース５０側に固定される光ディスク装置１００のメイン回路基板（第１の回路基板）、９０は、メイン回路基板８５に設けられるコネクタ、８６は、ユニットメカ部側に固定されるすなわちシャーシ５に固定される回路基板（第２の回路基板）、９１は、回路基板８６に設けられるコネクタ、８１は、メイン回路基板８５と回路基板８６との間をコネクタ９０、９１を介して接続する帯状の平板状配線ケーブル、８１ａは、平板状配線ケーブル８１の平面部分のうちボトムケース５０の内面上に配され、接着等により固定される第１の平面部分、８１ｂは、平板状配線ケーブル８１の平面部分のうち、折り返されて第１の平面部分８１ａ上に重なった第２の平面部分、８１ｒは、第１の平面部分８１ａと第２の平面部分８１ｂとの間の折り返し部、８１ｃは、第２の平面部分８１ｂとコネクタ９１との間の部分（以下、コネクタ接続用折り曲げ部分という）、２００は、装置の上方側（ディスク載置側）を覆うトップカバーである。他の符号は、他の図面の場合と同じ構成要素を示す。かかる構成において、第２の平面部分８１ｂは、トレイ６に付帯したユニットメカ部の±Ｘ軸方向の移動動作すなわちディスク搬入・搬出時のトレイ６の移動動作に対応してその領域面積が変化し、トレイ６が−Ｘ軸方向に移動するときは第１の平面部分８１ａに重なる領域面積が増大し、トレイ６が＋Ｘ軸方向に移動するときは該第１の平面部分８１ａに重なる領域面積が減少する。また、コネクタ接続用折り曲げ部分８１ｃは、反対に、トレイ６が−Ｘ軸方向に移動するときはその領域面積が減少し、トレイ６が＋Ｘ軸方向に移動するときはその領域面積が増大する。図７は、トレイ６が−Ｘ軸方向に最大距離移動した状態を示し、このときのコネクタ接続用折り曲げ部分８１ｃの領域面積は最小となっている。このため、この状態のときには、コネクタ接続用折り曲げ部分８１ｃには最大の弾性復元力が発生し、コネクタ９１を介してユニットメカ部に対し、上方向（Ｚ軸方向）の押し上げ力を作用させる。平板状配線ケーブル８１が、厚さが厚い場合や幅が広い場合や硬い材質から成るなどの場合には剛性が高くなり、該押し上げ力が大きくなる。本光ディスク装置１００においては、シャーシ５を、合成樹脂材を用いた成形によって支持部と結合部とを一体化構成とし、結合部の剛性を高めてあるため、該押し上げ力が大きい場合にも、これによるシャーシ５の上方向（Ｚ軸方向）への変位が小さいレベルに抑えられ、問題にならない。もしも、シャーシ５が上方向（Ｚ軸方向）に大きく変位する場合は、クランパ３ｂが上方向（Ｚ軸方向）に大きく移動してその先端がトップカバー２００の内面に当接し、正常な記録動作や再生動作が阻害されることも起り得るが、本光ディスク装置１００ではこれを回避することができる。
【００２３】
上記述べた本発明の実施例としての光ディスク装置１００によれば、より一層の低コスト化及び軽量化を図ることができる。また、耐衝撃性も改善される。例えば、記録または再生動作時に、装置に衝撃力などが加えられた場合、シャーシ５の各結合部の変位が小さいため、該シャーシ５の±Ｚ軸方向への変位が抑えられ、クランパ３ｂのトップカバー２００への当接や、ディスクモータ３のボトムケース５０側（−Ｚ軸方向側）への落ち込みに起因した光ディスク２のクランパ３ｂからの外れなどが回避される。上記衝撃力などに対する光ピックアップ４や光ディスク２の振動も低いレベルに抑えられ、ＢＤなどのワーキングディスタンスが短い光ディスクに対し記録や再生を行う場合にも、対物レンズ４ａの先端とディスク面との接触も容易に回避される。また、光ディスク装置１００においては、シャーシ５の質量が軽くかつ各結合部の剛性が高いため、シャーシ５自体が形成する振動系の共振周波数が高い。このため、低周波領域の外乱を遮断することができ、記録または再生動作時における装置の振動や騒音を抑えられる。実験によっても、光ディスク装置１００の振動や騒音を、従来の光ディスク装置１００'の場合とほぼ同じレベルにすることができることが確認された。さらに、光ディスク装置１００においては、±Ｚ軸方向に対して、従来の光ディスク装置１００'の場合よりも各部品間の距離を短縮することができ、装置のより一層の薄型化も可能となる。
【図面の簡単な説明】
【００２４】
【図１】本発明の実施例としての光ディスク装置の構成例図であって、トレイを装置本体側から引き出した状態を示す斜視図である。
【図２】図１の光ディスク装置において、ボトムケース及びボトムカバーを外したときの装置裏面側の状態を示す斜視図である。
【図３】図１の光ディスク装置の裏面側から見たトレイ及びシャーシの斜視図である。
【図４】図１の光ディスク装置におけるシャーシの裏面側構成図である。
【図５】図１の光ディスク装置におけるシャーシの表面側構成図である。
【図６】図１の光ディスク装置におけるシャーシとトレイとの結合構成の断面図である。
【図７】図１の光ディスク装置の概略的断面構造を示す図である。
【図８】従来の光ディスク装置の表面側の平面構成図である。
【図９】従来の光ディスク装置において、トレイを装置本体側から引き出した状態を示す斜視図である。
【図１０】従来の光ディスク装置の裏面側から見たトレイ及びシャーシの構成図である。
【図１１】従来の光ディスク装置におけるトレイとシャーシの結合構成の断面図である。
【符号の説明】
【００２５】
１００、１００'…光ディスク装置、
２…光ディスク、
３、３'…ディスクモータ、
３ａ、３ａ'…ターンテーブル、
３ｂ、３ｂ'…クランパ、
４、４'…光ピックアップ、
４ａ、４ａ'…対物レンズ、
５、５'…シャーシ、
６、６'…トレイ、
８、８０'…フレキシブル配線基板、
１０、１０'…前面パネル、
１１ａ…ダンパーＡ、
１１ｂ…ダンパーＢ、
１１ｃ…ダンパーＣ、
１２ａ…ダンパー係合部Ａ、
１２ｃ…ダンパー係合部Ｃ、
１３ａ…リブ、
３０…ビス、
４０、４０'…ボトムカバー、
５０、５０'…ボトムケース、
５１、５１'…レール部材、
５２…ガイドレール部材、
６０…モータ固定板、
７１…ガイド部材、
８１…平板状配線ケーブル、
８５、８５'…メイン回路基板、
５０１…シャーシの支持部、
５０２ａ、５０２ｂ、５０２ｃ…シャーシの結合部、
５０２ａ１、５０２ｂ１、５０２ｃ１…結合部の第１の部分、
５０２ａ２、５０２ｂ２、５０２ｃ３…結合部の第２の部分、
５０２ａ３、５０２ｂ３、５０２ｃ３…結合部の貫通孔。
【図１】
2009059423.tif 000003
【図２】
2009059423.tif 000004
【図３】
2009059423.tif 000005
【図４】
2009059423.tif 000006
【図５】
2009059423.tif 000007
【図６】
2009059423.tif 000008
【図７】
2009059423.tif 000009
【図８】
2009059423.tif 000010
【図９】
2009059423.tif 000011
【図１０】
2009059423.tif 000012
【図１１】
2009059423.tif 000013